(57)【要約】【課題】可動電磁片と固定電磁片間に係合するトーションバネの位置調整が不要で手間がかからず、バネフックの係合が容易にでき、バネフックの係合不良の発生を低下させることができ、また、ダブルトーションバネ等の高価な特殊バネを使用しなくても組み立て作業性を向上させることができる回路遮断器の電磁装置を提供する。【解決手段】可動電磁片３の平板部３ａの上端縁に切欠３ｆを形成し、この切欠３ｆにトーションバネ５のリング部５ａが嵌まるようにして枢軸４をリング部５ａに挿通させ、枢軸４の両端を可動電磁片３の折曲部３ｂ，３ｃに挿通させて固定する。枢軸４と可動電磁片３の平板部３ａとの間の寸法をトーションバネ５の線径より小さく形成し、トーションバネ５が枢軸４に沿って移動しないように規制する。【選択図】図１
2005108605.tif 000002
【特許請求の範囲】
【請求項１】
回路遮断器の基台上に配置される固定電磁片と、平板部の対向する２辺を折曲形成して軸孔を穿設した折曲部間に枢軸を挿着して前記固定電磁片と対向するように前記枢軸を軸支して回動自在にした可動電磁片と、該可動電磁片と前記固定電磁片との間に配設される主回路と、前記可動電磁片と前記固定電磁片間に係止して前記可動電磁片の折曲部間の前記枢軸にリング部を挿通させたトーションバネとで構成され、主回路に過大電流が流れた時に前記可動電磁片が前記トーションバネのバネ力に抗して前記固定電磁片に吸着し、前記可動電磁片の端部が開閉機構部を駆動させて主回路を遮断する回路遮断器の電磁装置において、前記可動電磁片の平板部に前記トーションバネのリング部が嵌まる切欠を形成し、前記枢軸と前記可動電磁片の平板部間の寸法を前記トーションバネの線径より小さくしたことを特徴とする回路遮断器の電磁装置。
【発明の詳細な説明】
【技術分野】
【０００１】
本発明は、短絡等によって主回路に過大電流が流れた時に動作して主回路を遮断する回路遮断器の電磁装置に関する。
【背景技術】
【０００２】
回路遮断器の電磁装置は、基台上に配置された固定電磁片と、平板部の対向する２辺を折曲して折曲部を形成し、この折曲部に穿設した軸孔に枢軸を挿着し、平板部が固定電磁片と対向するように枢軸を軸支して回動自在に設けられた可動電磁片と、一端のフックを可動電磁片に係止し、他端のフックを固定電磁片に係止し、可動電磁片の折曲部間の枢軸にリング部を挿通させたトーションバネとで構成している（例えば、特許文献１参照。）。また、図２に示す電磁装置は可動電磁片の折曲部間にダブルトーションバネがぴったりと収まるようにしてバネが枢軸に沿ってスライドしないようにしていた（例えば、特許文献２参照。）。
【特許文献１】特開平９−６３４５２号公報
【特許文献２】特開平９−１４７７２３号公報
【発明の開示】
【発明が解決しようとする課題】
【０００３】
前述の回路遮断器の電磁装置は組み立て時にトーションバネが枢軸に沿ってスライドするのでバネフックの係合がしづらく、位置調整が必要なため手間がかかり、バネフックの係合不良が発生する虞があった。また、後述の回路遮断器の電磁装置は特殊な形状であるダブルトーションバネを使用するため、コストがかかるという欠点があった。
【課題を解決するための手段】
【０００４】
本発明は、回路遮断器の基台上に配置される固定電磁片と、平板部の対向する２辺を折曲形成して軸孔を穿設した折曲部間に枢軸を挿着して固定電磁片と対向するように枢軸を軸支して回動自在にした可動電磁片と、可動電磁片と固定電磁片との間に配設される主回路と、可動電磁片と固定電磁片間に係止して可動電磁片の折曲部間の枢軸にリング部を挿通させたトーションバネとで構成され、主回路に過大電流が流れた時に可動電磁片がトーションバネのバネ力に抗して固定電磁片に吸着し、可動電磁片の端部が開閉機構部を駆動させて主回路を遮断する回路遮断器の電磁装置において、可動電磁片の平板部にトーションバネのリング部が嵌まる切欠を形成し、枢軸と可動電磁片の平板部間の寸法をトーションバネの線径より小さくしたことを特徴とする。
【発明の効果】
【０００５】
本発明の回路遮断器の電磁装置は、可動電磁片と固定電磁片間に係合するトーションバネの位置調整が不要で手間がかからず、バネフックの係合が容易にでき、バネフックの係合不良の発生を低下させることができる。また、ダブルトーションバネ等の高価な特殊バネを使用しなくても組み立て作業性を向上させることができるという効果がある。
【発明を実施するための最良の形態】
【０００６】
可動電磁片の平板部の上端縁に切欠を形成し、この切欠にトーションバネのリング部が嵌まるようにして枢軸をリング部に挿通させ、枢軸の両端を可動電磁片の折曲部に挿通させて固定する。枢軸と可動電磁片の平板部との間の寸法をトーションバネの線径より小さく形成し、トーションバネが枢軸に沿って移動しないように規制する。
【実施例１】
【０００７】
本発明に係る回路遮断器の電磁装置の実施例を図１〜図５の添付図面に基づいて説明する。
【０００８】
回路遮断器の電磁装置１は、矩形板状の固定電磁片２と、固定電磁片２と対向して配置され回動自在に軸支される略コ字状の可動電磁片３と、可動電磁片３を回動させる際に軸となる枢軸４と、固定電磁片２と可動電磁片３間に係合するトーションバネ５と、固定電磁片２と可動電磁片３との間に配置される長板状の主回路６とで構成している。
【０００９】
固定電磁片２は鉄等の磁性体により形成され、主回路６に密着させカシメて固定されている。主回路６は銅等の非磁性体により固定電磁片２より幅薄に形成されている。
【００１０】
可動電磁片３は鉄等の磁性体により形成され、平板部３ａの左右両辺に折曲部３ｂ，３ｃを折曲して略コ字状に形成し、この折曲部３ｂ，３ｃの上部に軸孔３ｄが穿設され、棒状の枢軸４が挿着できるようになっている。また、一方の折曲部３ｂの上端部には回路遮断器の開閉機構部（図示せず）を駆動させるための腕部３ｅが斜め上方に延設され、腕部３ｅが形成されない他方側の折曲部３ｃに隣接する平板部３ａの上端縁に切欠３ｆが形成されている。切欠３ｆの幅寸法はトーションバネ５のリング部５ａの幅寸法より僅かに大きく形成されている。
【００１１】
トーションバネ５は、複数巻回されたリング５ａ部と、リング部５ａから短く延びる短アーム５ｂと、リング部５ａから長く延びて先端にフック５ｃを有する長アーム５ｄとで形成されている。
【００１２】
電磁装置１を組み立てるには、まず、可動電磁片３の一方の軸孔３ｄに外側から枢軸４を挿通し、軸孔３ｄから出てきた枢軸４の先端にトーションバネ５のリング部５ａを挿通させる。そして、トーションバネ５のリング部５ａが可動電磁片３の切欠３ｆに嵌まるように位置合わせして枢軸４の先端を他方の軸孔３ｄに挿通させる。枢軸４と可動電磁片３の平板部３ａ間の寸法Ｂはトーションバネ５の線径Ｃより小さく形成しているため、トーションバネ５のリング部５ａが切欠３ｆに嵌まってトーションバネ５の位置が固定される。それから、可動電磁片３の平板部３ａが垂設された主回路６を挟んで固定電磁片２と対向するようにして枢軸４の両端を基台７に立設した枠８のＵ字溝８ａに軸支させて回動自在に取り付ける。最後にトーションバネ５の長アーム５ｄのフック５ｃを固定電磁片２の下端縁に係止させる。尚、トーションバネ５の短アーム５ｂは可動電磁片３の切欠３ｆに当接して位置もずれないため係合させる必要はない。
【００１３】
こうして組み立てられた電磁装置１は、回路遮断器の主回路６に短絡等による過大電流が流れた時、主回路６の周囲に発生する磁界によって可動電磁片３の下部がトーションバネ５のバネ力に抗して固定電磁片２に吸着し、このとき、可動電磁片３の腕部３ｅが開閉機構部を動作させることにより、開閉機構部が駆動して主回路６を遮断させる。
【００１４】
尚、本実施例において、可動電磁片は枢軸を基台の枠のＵ字溝に嵌めて軸支させたが、固定電磁片を可動電磁片より幅広の略コ字状に形成し、枢軸の両端を固定電磁片の折曲部に軸支させても良く、また、トーションバネは長アームのフックを固定電磁片の下端に係止させたが、固定電磁片の平板部に係止させてもよく、電磁装置を構成する部材の形状や構造について本発明の趣旨を逸脱しない範囲で適宜変更可能である。
【図面の簡単な説明】
【００１５】
【図１】本発明に係る電磁装置を示す斜視図である。
【図２】本発明に係る電磁装置の可動電磁片にトーションバネを組み付けた状態を示す背面図である。
【図３】図２のＡ−Ａ線断面図である。
【図４】本発明に係る電磁装置の縦断面図である。
【図５】本発明に係る電磁装置を基台に取り付けた状態を示す斜視図である。
【符号の説明】
【００１６】
１    電磁装置
２    固定電磁片
３    可動電磁片
３ａ    平板部
３ｂ，３ｃ    折曲部
３ｄ    軸孔
３ｅ    腕部
３ｆ    切欠
４    枢軸
５    トーションバネ
５ａ    リング部
５ｂ    短アーム
５ｃ    長アーム
５ｄ    フック
６    主回路
７    基台
８    枠
８ａ    Ｕ字溝
【図１】
2005108605.tif 000003
【図２】
2005108605.tif 000004
【図３】
2005108605.tif 000005
【図４】
2005108605.tif 000006
【図５】
2005108605.tif 000007